(57)【要約】【課題】設置場所が限定されることなく、設置・使用が容易なゴミ集積装置を提供する。【解決手段】ゴミ集積装置１の全体を支える台座１０から立設されたパイプ材１２と、パイプ材の上部に設けられてメッシュシート２０を係止して吊り下げる幅広のつば部１３と、からなる支柱１１の上からメッシュシート２０をかぶせ、メッシュシート２０の環状部２１ａをつば部１３に係止し、メッシュシート２０で支柱１１の全周を包囲する。【選択図】図１
2009184748.tif 000002
【特許請求の範囲】
【請求項１】
上下端が開口した筒状又は錐状のメッシュシートと、前記メッシュシートの上部を係止して吊り下げる係止部材を備えるとともに地盤に立設される支柱と、からなるゴミ集積装置であって、
前記メッシュシートは前記支柱の全周を包囲した状態で吊り下げられることを特徴とするゴミ集積装置。
【請求項２】
前記支柱は、複数本のパイプを多段状に伸縮自在に連結した構成を備えていることを特徴とする請求項１に記載のゴミ集積装置。
【請求項３】
前記係止部材は前記支柱上部を中心として開閉する複数片の傘骨からなることを特徴とする請求項１又は２に記載のゴミ集積装置。
【請求項４】
前記メッシュシートの裾に沿って重りが取り付けられていることを特徴とする請求項１乃至３の何れか一項に記載のゴミ集積装置。
【請求項５】
前記メッシュシートの裾から所定の高さまで、網の目を細かく形成したことを特徴とする請求項１乃至４の何れか一項に記載のゴミ集積装置。
【請求項６】
前記メッシュシートに開閉自在のスリットを設けたことを特徴とする請求項１乃至５の何れか一項に記載のゴミ集積装置。
【発明の詳細な説明】
【技術分野】
【０００１】
本発明は、家庭内から排出されるゴミを集積する装置に関する。
【背景技術】
【０００２】
各家庭から排出されるゴミは、各町内の区域毎に定められた集積場に所定の時間帯に排出された後、ゴミ回収車によって回収されてゴミ処理場に運ばれる。しかし、ゴミの排出から回収までには時間差があり、ゴミは回収されるまで集積場に放置されることになる。
集積場に放置されたゴミには、餌を探してカラス等が群がり、生ゴミを食べ散らかすため、衛生上も美観上も社会的に問題となっている。そのため、ゴミ集積場をカラスに荒らされないために、ゴミを網で覆う等の種々の手段が講じられている。
例えば、特許文献１には、不使用時には折りたたむことが可能なゴミ箱について記載されている。また、特許文献２には、支持構造体に網を吊り下げるゴミ集積装置について記載されている。
【特許文献１】特開２００７−２６１８０６公報
【特許文献２】特開２００６−２７３５２６公報
【発明の開示】
【発明が解決しようとする課題】
【０００３】
しかし、特許文献１に記載された発明は、箱状であるので設置場所が限定される。また、特許文献２に記載された発明では、不使用状態から使用状態にするまでに手間がかかる。
そこで本発明は、設置場所が限定されることなく、設置・使用が容易なゴミ集積装置を提供することを目的とする。
【課題を解決するための手段】
【０００４】
上記の課題を解決するために、請求項１に記載の発明は、上下端が開口した筒状又は錐状のメッシュシートと、前記メッシュシートの上部を係止して吊り下げる係止部材を備えるとともに地盤に立設される支柱と、からなるゴミ集積装置であって、前記メッシュシートは前記支柱の全周を包囲した状態で吊り下げられることを特徴とする。
また、請求項２に記載の発明は、前記支柱は、複数本のパイプを多段状に伸縮自在に連結した構成を備えていることを特徴とする。
また、請求項３に記載の発明は、前記係止部材は前記支柱上部を中心として開閉する複数片の傘骨からなることを特徴とする。
また、請求項４に記載の発明は、前記メッシュシートの裾に沿って重りが取り付けられていることを特徴とする。
また、請求項５に記載の発明は、前記メッシュシートの裾から所定の高さまで、網の目を細かく形成したことを特徴とする。
また、請求項６に記載の発明は、前記メッシュシートに開閉自在のスリットを設けたことを特徴とする。
【発明の効果】
【０００５】
本発明によれば、上下端が開口した筒状又は錐状のメッシュシートを地盤に立設される支柱に、支柱の全集を包囲した状態で吊り下げたので、設置場所が限定されることなく、設置・使用が容易なゴミ集積装置を提供することが可能となる。
【発明を実施するための最良の形態】
【０００６】
第１の実施形態について図１に基づいて説明する。図１は、本発明のゴミ集積装置の基本的な構成を示す図であり、（ａ）は全体図、（ｂ）は笠部材部分の拡大図、（ｃ）は収納状態を示す図である。ゴミ集積装置１は、ゴミ集積装置１の全体を支える台座１０と、台座１０に立設される支柱１１と、支柱１１の上部に備えられた笠部材１５と、支柱１１に吊り下げられたメッシュシート２０と、からなる。
台座１０は、支柱１１にメッシュシート２０を吊り下げた状態で転倒しないようにゴミ集積装置１の全体を支える。支柱１１は、台座１０から立設されたパイプ材１２と、パイプ材の上部でメッシュシート２０を係止して吊り下げる幅広のつば部（係止部材）１３とからなる。つば部１３の上部には支柱１１から着脱自在に構成された笠部材１５を備える。台座１０は図に示す円盤状のみならず、ゴミ集積装置１全体を支えることができれば三脚形状や、複数の棒部材を放射状に拡げてその中央に支柱１１を立設させる構成であっても良い。また、パイプ材１２は例えば単管パイプから構成される。
【０００７】
笠部材１５は、図１（ｂ）に示すように上に凸となるように形成された皿状の笠部１５ａと、笠部１５ａの凹形状側から下方に延出してパイプ材１２と接続される接続部１５ｂと、接続部１５ｂの周囲に垂れ下がるように取り付けられてゴミ集積装置１の不使用時にメッシュシート２０を引っ掛けて収納するフック１５ｃと、つば部１３とでメッシュとシート２０の上部を挟み込むつば部１５ｄを備える。接続部１５ｂは、つば部１３の上部に延在する受け部１４に挿入されることにより、支柱１１と接続される。
メッシュシート２０は、筒状又は錘状に形成されて、上端２１、下端２２のいずれもが開口している。環状に構成された上端２１の環状部２１ａは、その径がつば部１３の径よりも小さく構成されているので、メッシュシート２０は環状部２１ａでつば部１３に係止されて吊り下げられる。また、メッシュシート２０を錘状に形成することで、つば部１３に取り付けやすく、またゴミ集積装置１の使用時にゴミを覆いやすくなる。メッシュシート２０の下端２２には、その裾に沿って、メッシュシート２０がまくれないようにするための重り２３が適宜の間隔で取り付けられている。
【０００８】
このように構成されたゴミ集積装置１の使用方法について説明する。まず、支柱１１から笠部材１５を取り外す。メッシュシート２０を支柱１１の上からかぶせ、環状部２１ａをつば部１３に係止し、メッシュシート２０で支柱１１の全周を包囲する。さらに、支柱１１から分離した笠部材１５の接続部１５ｂを受け部１４に挿入し、つば部１３とつば部１５ｄとでメッシュとシート２０の上部を挟み込むと、ゴミ集積装置として使用可能になる。
各家庭から持ち出されたゴミ（ゴミ袋）は、メッシュシート２０の裾をめくって、メッシュシート２０内に投入される。ゴミはメッシュシート２０で覆われているため、カラス等はゴミを漁ることができず、ゴミの回収まで集積場が荒らされることはない。また、ゴミ収集時には、メッシュシート２０の適所をフック１５ｃに引っ掛けることにより、いちいちメッシュシート２０をめくらずとも複数のゴミを収集できる。また、次のゴミ回収日までは、図１（ｃ）に示すように、メッシュシート２０の適所をフック１５ｃに引っ掛け、さらにメッシュシート２０の下部適所をロープ等で縛っておけば、美観を損ねることはない。
このように本実施例のゴミ集積装置１は、上下端が開口した筒状又は錐状のメッシュシート２０を地盤に立設される支柱１１に、支柱１１の全集を包囲した状態で吊り下げたので、少なくとも台座１０の面積さえ有れば設置が可能である。従って、設置場所が限定されない。また、メッシュシート２０の適所をフック１５ｃに引っ掛け、さらにメッシュシート２０の下部適所をロープ等で縛るだけで収納できるので、収納も使用も簡単で、収納時においても美観を損ねることはない。
【０００９】
本発明第２の実施形態について図２、図３に基づいて説明する。
本実施形態では、第１の実施形態におけるパイプ材１２に相当する部分を細パイプ材１２１と太パイプ材１２２からなる二重構造にして、支柱１１の高さを変更できるようにした。図２は、ゴミ集積装置１の高さを変更した例を示す図である。また、図３は、支柱の高さを変更するための機構の例を示す図である。
本実施例における支柱１１は、台座１０から立設された細パイプ材１２１と、つば部（係止部材）１３を上部に接合された太パイプ材１２２を備える。太パイプ材１２２には下方から細パイプ材１２１が挿通されている。細パイプ材１２１の外径よりも太パイプ材１２２の内径の方が若干大きいので、細パイプ材１２１に対して太パイプ材１２２を上下自在に動かすことが可能である。
【００１０】
図３（ａ）に示すように、細パイプ材１２１にはボルト（掛止部材）１２３を貫通させるための貫通穴１２５が縦に複数設けられている。細パイプ材１２１を貫通したボルト１２３には、ナット１２４がねじ込まれ、ボルト１２３とナット１２４に太パイプ材１２２の下端が引っ掛かり、太パイプ材１２２の下降が防止される。貫通穴１２５は複数設けられているので、支柱１１が全体として多段状に伸縮自在となっている。
このような支柱１１の伸縮機構は種々考えられる。例えば、図３（ｂ）では、細パイプ材１２１に貫通穴１２５を形成し、太パイプ材１２２には、複数のＬ字状の孔を縦に並べ、それぞれのＬ字状の孔の右端を縦長の孔で連結した形状をなす貫通長孔１２６を形成した。ボルト１２３は貫通穴１２５を経由して貫通長孔１２６に挿通され、ナット１２４を締めることで、支柱１１の高さを決定する。支柱１１の高さを変更する場合は、ナット１２４を緩めて、太パイプ材１２２を貫通長孔１２６に沿って好みの高さになるように左右上下に移動させた後、ナット１２４を締めればよい。
本実施形態では、支柱１１の高さを変更できるようにしたので、ゴミの許容積み上げ高を変更することができる。従って、支柱１１の高さを変更することで、ゴミの多少に応じてゴミの許容集積量を変更することができる。
【００１１】
本発明第３の実施形態について図４に基づいて説明する。図４（ａ）は、本実施形態を適用したゴミ集積装置１の全体図、（ｂ）はナスカン２４とリング１１１を使用した場合の台座１０部分の拡大図であり、（ｃ）は金属製の台座１０と磁石２５を使用した場合の台座１０部分の拡大図である。
図４（ａ）、（ｂ）に示すように、本実施形態のゴミ集積装置１の台座１０の周囲には適宜の間隔をあけて複数のリング１１１が取り付けられ、メッシュシート２０の裾には適宜の間隔をあけて複数のナスカン２４が取り付けられている。ゴミ集積装置１の使用時には、ナスカン２４をリング１１１に引っ掛けて、メッシュシート２０の裾と台座１０を接続することにより、メッシュシート２０がまくれないようにした。また、台座１０とメッシュシート２０の裾を接続できる構成であればよいので、このほかにも図４（ｃ）に示すように、例えば台座１０を金属製にし、メッシュシート２０の裾に磁石２５を取り付けることでも、同様の効果を得ることができる。
【００１２】
さらにメッシュシート２０には、ゴミ集積装置としての使用時において周面となる適所に開閉自在なスリット２６を設けた。このスリットは容易に開閉することができるように、例えばスライドファスナーや面ファスナー等から構成されている。ゴミ集積装置１にゴミを投入する場合にはスリット２６を開き、ゴミを投入した後にスリット２６を閉じる。本実施形態ではメッシュシート２０の裾をめくることはできないが、ゴミ集積装置１の周面からゴミを投入できるので、ゴミ投入時に腰をかがめる必要がなく、お年寄りの体にもやさしい。また、第１の実施形態のように筒状又は錘状に形成されたメッシュシート２０にスリット２６を設けても良いが、図５（ａ）、（ｂ）に示すように１枚又は複数のメッシュシートをスライドファスナー、面ファスナー、あるいは紐等で接続するようにして、その一部をゴミ投入口としてもよい。この場合には、メッシュシート２０の支柱１１への取り付け、交換が容易になる。
【００１３】
本発明第４の実施形態について図６に基づいて説明する。図６は、ゴミ集積装置１に、複数の傘骨を備えた傘部１６を設けて、メッシュシート２０の上部が傘状に開く構成とした。
本実施形態の支柱１１に備えられた傘部１６は、メッシュシート２０を支える親骨１６１と、親骨１６１を支える受け骨１６２と、親骨１６１と受け骨１６２を接続するダボ１６３と、親骨１６１が集まる上ロクロ１６４（係止部材）と、受け骨１６２が集まる下ロクロ１６５と、傘を開いたときに傘が落ちないようにするための上ハジキ１６６と、傘を閉じたときに傘が自然と開かないようにするための下ハジキ１６７からなる。
メッシュシート２０の環状部２１ａは、上ロクロ１６４に係止され、傘部１６を開くとメッシュシート２０の上部が親骨１６１とともに持ち上がって傘状に開く。メッシュシート２０は親骨の端部１６１ａから垂れ下がり、親骨の本数に応じた略多角柱のメッシュシート２０で覆われたゴミ集積用の空間が形成される。
さらに、本実施形態におけるメッシュシート２０には、その裾から所定の高さまでメッシュを細かくした細メッシュ部２７を設けた。ここで、所定の高さとは少なくともカラス等がメッシュシート２０の横に立ってメッシュシート２０をつっついた時に、くちばしが細メッシュ部２７より上に当たらない程度の高さである。
【００１４】
本実施形態におけるゴミ集積装置１は、ゴミを集積する部分が略多角柱の空間で形成され、メッシュシート２０が地面に対して略垂直に立ち上がっているため、ゴミの上にメッシュシート２０が覆い被さることはない。つまり、カラス等はメッシュシート２０に乗ることができず、ゴミの上に乗ってゴミを漁ることはできない。また、メッシュシート２０の裾から適宜の高さまでメッシュを細かくしたので、カラスが地面に降り立った状態でメッシュシート２０を介してゴミをあさることもできない。そのため、ゴミの回収まで集積場が荒らされることはない。また、ゴミ収集時には、メッシュシート２０の適所をフック１５ｃに引っ掛けることにより、いちいちメッシュシート２０をめくらずとも複数のゴミを収集できる。また、次のゴミ回収日までは、傘部１６を閉じてメッシュシート２０の適所をフック１５ｃに引っ掛けるとともにメッシュシート２０の下部適所をロープ等で縛っておけば、美観を損ねることはない。
なお、上述の各実施形態は、他の実施形態とそれぞれ組み合わせて実施することが可能である。
【図面の簡単な説明】
【００１５】
【図１】本発明第１の実施形態を示す図であり、（ａ）は全体図、（ｂ）は笠部材部分の拡大図、（ｃ）は収納状態を示す図である。
【図２】本発明第２の実施形態を示す図である。
【図３】支柱の高さを変更するための機構の例を示す図であり、（ａ）は細パイプ材に貫通穴を設けた例を示す図、（ｂ）は太パイプ材に貫通長孔を設けた例を示す図である。
【図４】本発明第３の実施形態を示す図であり、（ａ）は全体図、（ｂ）はナスカンとリングを使用した場合の台座部分の拡大図、（ｃ）は金属製の台座と磁石を使用した場合の台座部分の拡大図である。
【図５】メッシュシートの例を示す図であり、（ａ）は１枚のメッシュシートを接続して使用する例を示す図、（ｂ）は複数のメッシュシートを接続して使用する例を示す図である。
【図６】本発明第４の実施形態を示す図である。
【符号の説明】
【００１６】
１…ゴミ集積装置、１０…台座、１１…支柱、１０１…リング、１２…パイプ材、１２１…細パイプ材、１２２…太パイプ材、１２３…ボルト、１２４…ナット、１２５…貫通穴、１２６…貫通長孔、１３…つば部、１４…受け部、１５…笠部材、１５ａ…笠部、１５ｂ…接続部、１５ｃ…フック、１５ｄ…つば部、１６…傘部、１６１…親骨、１６１ａ…親骨の端部、１６２…受け骨、１６３…ダボ、１６４…上ロクロ、１６５…下ロクロ、１６６…上ハジキ、１６７…下ハジキ、２０…メッシュシート、２１…上端、２１ａ…環状部、２２…下端、２３…重り、２４…ナスカン、２５…磁石、２６…スリット、２７…細メッシュ部
【図１】
2009184748.tif 000003
【図２】
2009184748.tif 000004
【図３】
2009184748.tif 000005
【図４】
2009184748.tif 000006
【図５】
2009184748.tif 000007
【図６】
2009184748.tif 000008